(57)【特許請求の範囲】
【請求項１】
入力信号を２つの信号に分配する２分配器と、
該２分配器によって分配された各々の信号の電力を分配する、同一特性を有する第１及び第２ブランチライン型ハイブリッドと、
該２つのブランチライン型ハイブリッドの各々の出力信号の位相を合わせるため、前記第１ブランチライン型ハイブリッドの第１出力側伝送線路に対してλｇ／４（λｇは、該ブランチライン型ハイブリッドの伝送線路を伝播する高周波の波長）だけ延長した前記第２ブランチライン型ハイブリッドの第２出力側伝送線路と、
前記第１出力側伝送線路を流れる信号と、前記第２出力側伝送線路を流れる信号とを結合して出力する第１結合器と、
前記第２ブランチライン型ハイブリッドの第３出力側伝送線路に対して前記λｇ／４だけ延長した前記第１ブランチライン型ハイブリッドの第４出力側伝送線路と、
前記第３出力側伝送線路を流れる信号と、前記第４出力側伝送線路を流れる信号とを結合して出力する第２結合器とを備え、
該第２結合器の出力側伝送線路を、前記第１結合器の出力側伝送線路に対して前記λｇ／４だけ延長したことを特徴とするハイブリッド回路。
【請求項２】
前記２分配器又は／及び結合器は、ウイルキンソン型であることを特徴とする請求項１に記載のハイブリッド回路。
【発明の詳細な説明】
【技術分野】
【０００１】
本発明は、ハイブリッド回路に関し、特に、マイクロストリップライン回路で構成したブランチライン型ハイブリッドを組み合わせることにより、ポート間の振幅特性を補償し、広帯域の分配器を実現したハイブリッド回路に関する。
【背景技術】
【０００２】
従来のハイブリッド回路の一例として、図３に示す回路は、ポート（Ｐｏｒｔ）１より入力された信号は、２配分されてポート３とポート４で３ｄＢ低下して出力される。これは、入力レベルを１としたときのポート３とポート４の出力レベルα、βには、下式に示す相関関係があり、一方の損失が大きくなると他方の損失が小さくなるからである。
【０００３】
【数１】
0004404826.tif 000002
【０００４】
また、特許文献１には、出力間レベル偏差を低減して安定的に製造可能とし、開発時間を短縮することのできる高周波信号分配・合成器が開示されている。さらに、特許文献２には、広帯域をカバーすることができるとともに、小型化を可能とした高周波増幅器が記載されている。
【特許文献１】特開平７−１０６８９８号公報
【特許文献２】特開昭５８−６０８０９号公報
【発明の開示】
【発明が解決しようとする課題】
【０００５】
しかし、図３に示した上記従来のハイブリッド回路において、出力ポート３、４の出力レベルは、入力ポートから出力ポートへ至る各々のラインのインピーダンスと位相によって決定されるため、両ポートの出力レベルを均等に配分するにあたって、両ポートの位相が同一となるような調整を行っている。しかし、図４に示すように、調整後においても、設計値以外の周波数では、位相が変化し、一方のレベルが大きくなると他方のレベルは小さくなり、電力を均等に配分することができないという問題があった。
【０００６】
また、特許文献１に記載のハイブリッド回路は、多層基板で構成しているため、内層の調整ができず、また、各素子の周波数特性について考慮されていないため、設計値以外の周波数では、出力レベルの偏差を抑えることができない。そのため、このハイブリッド回路は、調整を容易に行うことができないとともに、広帯域化を図った技術ではない。
【０００７】
さらに、特許文献２に記載のハイブリッド回路は、増幅器の周波数特性を利用して広帯域化を行っているため、増幅器と組み合わせた周波数特性の改善を行うものであり、２分配器だけで広帯域化を図るものではない。
【０００８】
そこで、本発明は、上記従来のハイブリッド回路における問題点に鑑みてなされたものであって、２つの出力ポートにおける分配損失のレベル差を、広い帯域において小さくすることが可能なハイブリッド回路を提供することを目的とする。また、これに加え、本発明は、無調整でも出力レベルの偏差が小さいハイブリッド回路を提供することを目的とする。
【課題を解決するための手段】
【０００９】
上記目的を達成するため、本発明は、ハイブリッド回路であって、入力信号を２つの信号に分配する２分配器と、該２分配器によって分配された各々の信号の電力を分配する、同一特性を有する第１及び第２ブランチライン型ハイブリッドと、該２つのブランチライン型ハイブリッドの各々の出力信号の位相を合わせるため、前記第１ブランチライン型ハイブリッドの第１出力側伝送線路に対してλｇ／４（λｇは、該ブランチライン型ハイブリッドの伝送線路を伝播する高周波の波長）だけ延長した前記第２ブランチライン型ハイブリッドの第２出力側伝送線路と、前記第１出力側伝送線路を流れる信号と、前記第２出力側伝送線路を流れる信号とを結合して出力する第１結合器と、前記第２ブランチライン型ハイブリッドの第３出力側伝送線路に対して前記λｇ／４だけ延長した前記第１ブランチライン型ハイブリッドの第４出力側伝送線路と、前記第３出力側伝送線路を流れる信号と、前記第４出力側伝送線路を流れる信号とを結合して出力する第２結合器とを備え、該第２結合器の出力側伝送線路を、前記第１結合器の出力側伝送線路に対して前記λｇ／４だけ延長したことを特徴とする。                                                                   
【００１０】
そして、本発明によれば、２つのブランチライン型ハイブリッドによって、ポート間の出力レベル差を補正しているため、広帯域でフラットな特性を得ることができる。また、同様の作用により、従来行っていた各々のポート出力レベルの調整が不要となる。
【００１１】
前記ハイブリッド回路において、前記２分配器又は／及び結合器としてウイルキンソン型のものを使用することができる。
【発明の効果】
【００１２】
以上のように、本発明によれば、２つの出力ポートにおける分配損失のレベル差を、広い帯域において小さくすることが可能で、無調整でも出力レベルの偏差が小さいハイブリッド回路を提供することができる。
【発明を実施するための最良の形態】
【００１３】
図１は、本発明にかかるハイブリッド回路の一実施の形態を示し、このハイブリッド回路は、入力信号を２つの信号に分配する２分配器１と、２分配器１によって分配された各々の信号の電力を分配する、同一特性を有する第１及び第２ブランチライン型ハイブリッド（以下、「ハイブリッド」と略称する）２、３と、これら２つのハイブリッド２、３の各々の出力信号の位相を合わせるため、第１出力側伝送線路４、６に対してλｇ／４（λｇは、該ハイブリッドの伝送線路を伝播する高周波の波長）だけ延長した第２出力側伝送線路５、７と、第１ハイブリッド２の第１出力側伝送線路４を流れる信号と、第２ハイブリッド３の第２出力側伝送線路７を流れる信号とを結合して出力する第１結合器８と、第１ハイブリッド２の第２出力側伝送線路５を流れる信号と、第２ハイブリッド３の第１出力側伝送線路６を流れる信号とを結合して出力する第２結合器９とで構成される。ここで、２分配器１及び２つの結合器８、９には、ウイルキンソン型を用いることができる。
【００１４】
次に、上記構成を有するハイブリッド回路の動作について、図１及び図２を参照しながら説明する。
【００１５】
入力信号は、２分配器１により２分配され、第１及び第２ハイブリッド２、３へ入力される。各々のハイブリッド２、３は、入力信号を２分配し、出力ポート（Ｐｏｒｔ）Ａ３、Ａ４、Ｂ３、Ｂ４へ出力する。この出力Ａ３とＢ４／Ａ４とＢ３を各々第１及び第２結合器８、９により合成して出力する。
【００１６】
第１ハイブリッド２の出力ポートＡ４は、ポートＢ３に対して９０°（λｇ／４）の位相遅れが生じているため、第１出力側伝送線路４に対して第２出力側伝送線路５をλｇ／４だけ延長し、互いの位相を合わせている。同様に、ポートＢ４は、ポートＡ３に対して９０°（λｇ／４）の位相遅れが生じているため、第１出力側伝送線路６に対して第２出力側伝送線路７をλｇ／４だけ延長し、さらに、ＯＵＴ４の出力ラインは、ＯＵＴ３の出力ラインよりλｇ／４だけ延長し、従来のハイブリッドと同じ位相関係にしている。
【００１７】
上記構成を有するハイブリッド回路を用いた場合のＯＵＴ３の分配損失周波数特性を図２に示す。ＯＵＴ４の分配損失周波数特性は、ＯＵＴ３の分配損失周波数特性と同一となり、ＯＵＴ３とＯＵＴ４の分配損失差が補正され、分配損失周波数特性が改善される。
【図面の簡単な説明】
【００１８】
【図１】本発明にかかるハイブリッド回路の一実施の形態を示す構成図である。
【図２】図１のハイブリッド回路の分配損失周波数特性を示すグラフである。
【図３】従来のハイブリッド回路の一例を示す構成図である。
【図４】図３のハイブリッド回路の分配損失周波数特性を示すグラフである。
【符号の説明】
【００１９】
１  ２分配器
２  第１ハイブリッド
３  第２ハイブリッド
４  第１出力側伝送線路
５  第２出力側伝送線路
６  第１出力側伝送線路
７  第２出力側伝送線路
８  第１結合器
９  第２結合器
【図１】
0004404826.tif 000003
【図２】
0004404826.tif 000004
【図３】
0004404826.tif 000005
【図４】
0004404826.tif 000006